(57)【特許請求の範囲】
【請求項１】
記録ヘッドを有し主走査方向に往復動するキャリッジと、被記録材を副走査方向に搬送する被記録材搬送手段と、薄板状の被記録材を装着した被記録材搬送用トレイを前記被記録材として搬送し、前記薄板状の被記録材の一面に前記記録ヘッドにて印刷を行う手段とを備えた記録装置の前記被記録材搬送用トレイであって、
前記記録ヘッドのヘッド面と、所定のセット位置にセットされた前記被記録材搬送用トレイの表面との間隔が既定の間隔未満となる時に、前記キャリッジの一部と当接することによって、前記記録ヘッドが前記被記録材搬送用トレイの上を走査することを防止可能な第１のストッパー部を有している、ことを特徴とした被記録材搬送用トレイ。
【請求項２】
請求項１において、前記被記録材搬送用トレイを前記被記録材搬送手段の搬送路に、既定の向きと反対の向きで挿入した際に、前記記録ヘッドのヘッド面と前記被記録材搬送用トレイの表面との間隔に関係なく、前記キャリッジの一部と当接することによって、前記記録ヘッドが前記被記録材搬送用トレイの上を走査することを防止可能な第２のストッパー部が、前記被記録材搬送トレイを既定の向きで挿入し、前記薄板状の被記録材のラベル面に記録を実行する際に、前記キャリッジに当接しない領域に形成されている、ことを特徴とした被記録材搬送用トレイ。
【請求項３】
請求項１又は２において、前記記録装置は、前記記録ヘッドによる記録実行領域の前記副走査方向上流側に配設され、前記被記録材搬送手段を構成する搬送従動ローラと、前記記録実行領域の前記副走査方向下流側に配設され、前記被記録材の排出手段を構成する排紙従動ローラとを備え、前記第１のストッパー部は、前記被記録材搬送用トレイが前記被記録材搬送手段によって搬送される際に、前記搬送従動ローラ及び前記排紙従動ローラに接触しない位置に配置されている、ことを特徴とした被記録材搬送用トレイ。
【請求項４】
請求項１〜３のいずれか１項において、前記第１のストッパー部は、前記副走査方向の長さが、前記搬送従動ローラと前記排紙従動ローラとの間隔よりも長い、ことを特徴とした被記録材搬送用トレイ。
【請求項５】
請求項１〜４のいずれか１項において、前記記録装置は、前記被記録材搬送手段により搬送される前記被記録材の表面の光反射率から被記録材の有無を検知する光センサから成る被記録材検知手段を備え、前記被記録材搬送用トレイは、前記被記録材検知手段により検知されない黒色の樹脂部材で形成されているとともに、前記被記録材検知手段により検知可能な光反射率の高い部材にて構成された被検知部を片面側に有している、ことを特徴とした被記録材搬送用トレイ。
【請求項６】
請求項１〜５のいずれか１項において、前記被記録材搬送用トレイは、前記薄板状の被記録材を装着した際に、該薄板状の被記録材の印刷面が、該薄板状の被記録材装着側の平面と略同一の平面に配置される如く、前記薄板状の被記録材を装着可能な装着溝を有しており、該装着溝には、該装着溝より小さい大きさの前記薄板状の被記録材の取り外し孔を有する形状である、ことを特徴とした被記録材搬送用トレイ。
【請求項７】
請求項１〜６のいずれか１項に記載の被記録材搬送用トレイを前記被記録材として搬送し、該被記録材搬送用トレイに装着された前記薄板状の被記録材の一面に印刷可能な構成を有するインクジェット式記録装置。
【発明の詳細な説明】
【０００１】
【発明の属する技術分野】
本願発明は、記録ヘッドを有し主走査方向に往復動するキャリッジと、被記録材を副走査方向に搬送する被記録材搬送手段と、薄板状の被記録材を装着した被記録材搬送用トレイを被記録材として搬送し、被記録材の一面に記録ヘッドにて印刷を行う手段とを備えた記録装置の被記録材搬送用トレイに関する。
【０００２】
【従来の技術】
薄板状の被記録材として、例えば、ＣＤ−Ｒ等の記録メディアは、記録面と反対側のラベル面の所定の領域に、そのメディアに記録されている情報等の書き込みが可能になっている。そして、この領域に印刷を行う記録装置としては、国際出願番号ＰＣＴ／ＪＰ９６／０２８３３号公報にて、前記被記録材を被記録材搬送用トレイに装着し、その被記録材搬送用トレイを搬送し、印刷を行う記録装置が開示されている。これは、薄い矩形板からなる被記録材搬送用トレイ表面の中央に形成した浅い円形溝からなる装着部にＣＤ−Ｒ等の記録メディアを装着し、記録メディアを装着した被記録材搬送用トレイを搬送ローラにて搬送し、記録ヘッドにて記録メディア表面に印刷を行うものである。
【０００３】
そして、ＣＤ−Ｒ等の記録メディアを装着した被記録材搬送用トレイを、厚紙等の柔軟性の少ない被記録材と同様に手差しで給紙路に挿入して、記録メディアのラベル面に記録を行うことが可能なインクジェット式記録装置が、すでに公知のものとして知られている。このインクジェット式記録装置は、記録ヘッドを有し主走査方向に往復動するキャリッジと、被記録材を副走査方向に搬送する被記録材搬送手段とを備えており、自動給紙装置から給紙された記録紙に対して記録を実行するものである。また、通常の自動給紙装置による給紙経路とは別に、厚紙等を手差しで給紙可能な手差しの給紙路を備えている。そして、記録メディアを装着した被記録材搬送用トレイに対して、厚紙と同様に記録が実行可能な構成を有している。
【０００４】
【発明が解決しようとする課題】
このようなインクジェット式記録装置において、厚紙等の柔軟性の少ない厚みのある被記録材、あるいは上述した被記録材搬送用トレイに記録を実行する際は、通常の薄くて柔軟性のある普通紙等に記録を実行する時よりも、非記録材の厚みの分だけ、被記録材の記録面と記録ヘッドのヘッド面との間隔（ペーパーギャップ、以下ＰＧとする）が小さくなってしまうため、キャリッジの高さを変更する手段等によって、記録ヘッドのヘッド面の高さを調整する必要がある。
【０００５】
しかしながら、被記録材搬送用トレイに装着した薄板状の被記録材に印刷を実行する際に、適正なＰＧに設定しないまま記録を実行してしまうと、記録品質が低下するだけでなく記録ヘッドのヘッド面にインクが付着して汚れてしまったり、場合によっては、ヘッド面と被記録材搬送用トレイの表面とが接触して、被記録材搬送用トレイを汚してしまったり、ヘッド面を傷つけてしまうといった虞がある。
【０００６】
本願発明は、このような状況に鑑み成されたものであり、その課題は、被記録材搬送用トレイに装着した薄板状の被記録材に印刷を実行する際に、適正なＰＧに設定しないまま記録を実行してしまうことを防止可能な被記録材搬送用トレイを提供することにある。
【０００７】
【課題を解決するための手段】
上記課題を達成するため、本願請求項１に記載の発明は、記録ヘッドを有し主走査方向に往復動するキャリッジと、被記録材を副走査方向に搬送する被記録材搬送手段と、薄板状の被記録材を装着した被記録材搬送用トレイを前記被記録材として搬送し、前記薄板状の被記録材の一面に前記記録ヘッドにて印刷を行う手段とを備えた記録装置の前記被記録材搬送用トレイであって、前記記録ヘッドのヘッド面と、所定のセット位置にセットされた前記被記録材搬送用トレイの表面との間隔が既定の間隔未満となる時に、前記キャリッジの一部と当接することによって、前記記録ヘッドが前記被記録材搬送用トレイの上を走査することを防止可能な第１のストッパー部を有している、ことを特徴とした被記録材搬送用トレイである。
【０００８】
このように、記録ヘッドのヘッド面と、所定のセット位置にセットされた被記録材搬送用トレイの表面との間隔が既定の間隔未満となる時には、キャリッジに当接してキャリッジの主走査方向の往復動を防止可能な形状を成す第１のストッパー部を被記録材搬送用トレイが有しているので、ＰＧが適正でない状態において、記録ヘッドが被記録材搬送用トレイ上を走査することを防止することが可能になる。
【０００９】
これにより、本願請求項１に記載の発明に係る被記録材搬送用トレイによれば、上述した第１のストッパー部を有することで、被記録材搬送用トレイに装着した薄板状の被記録材に印刷を実行する際に、適正なＰＧに設定しないまま記録を実行してしまうことを防止可能な被記録材搬送用トレイによって、ＰＧが既定の間隔未満であることによる記録品質の低下や、ヘッド面と被記録材搬送用トレイの表面とが接触して、被記録材搬送用トレイにインクが付着して汚れたり、記録ヘッドのヘッド面を傷つけたりしてしまうといった虞が少なくなるという作用効果が得られる。
【００１０】
本願請求項２に記載の発明は、請求項１において、前記被記録材搬送用トレイを前記被記録材搬送手段の搬送路に、既定の向きと反対の向きで挿入した際に、前記記録ヘッドのヘッド面と前記被記録材搬送用トレイの表面との間隔に関係なく、前記キャリッジの一部と当接することによって、前記記録ヘッドが前記被記録材搬送用トレイの上を走査することを防止可能な第２のストッパー部が、前記被記録材搬送トレイを既定の向きで挿入し、前記薄板状の被記録材のラベル面に記録を実行する際に、前記キャリッジに当接しない領域に形成されている、ことを特徴とした被記録材搬送用トレイである。
【００１１】
このように、被記録材搬送用トレイを既定の向きと異なる向きで挿入した際、つまり誤挿入してしまった場合には、ＰＧに関係なく記録ヘッドが被記録材搬送用トレイの上を走査することを防止可能な第２のストッパー部を有することで、被記録材搬送用トレイを誤挿入してしまったまま記録が実行されることを防止することができる。また、第２のストッパー部は、被記録材搬送トレイを既定の向きで挿入し、前記薄板状の被記録材のラベル面に記録を実行する際に、前記キャリッジに当接しない領域に形成されているので、被記録材搬送用トレイを正しい向きで給紙路に挿入して印刷を実行する際に記録ヘッドの走査を妨げる虞がない。
【００１２】
これにより、本願請求項２に記載の発明に係る被記録材搬送用トレイによれば、本願請求項１に記載の発明による作用効果に加えて、被記録材搬送用トレイの誤挿入時において、記録動作を強制的に中断させることが可能になるという作用効果が得られる。
【００１３】
本願請求項３に記載の発明は、請求項１又は２において、前記記録装置は、前記記録ヘッドによる記録実行領域の前記副走査方向上流側に配設され、前記被記録材搬送手段を構成する搬送従動ローラと、前記記録実行領域の前記副走査方向下流側に配設され、前記被記録材の排出手段を構成する排紙従動ローラとを備え、前記第１のストッパー部は、前記被記録材搬送用トレイが前記被記録材搬送手段によって搬送される際に、前記搬送従動ローラ及び前記排紙従動ローラに接触しない位置に配置されている、ことを特徴とした被記録材搬送用トレイである。
【００１４】
本願請求項３に記載の発明に係る被記録材搬送用トレイによれば、本願請求項１又は２に記載の発明による作用効果に加えて、第１のストッパー部が、搬送従動ローラ及び排紙従動ローラに接触しない位置に配置されているので、第１のストッパー部によって、被記録材搬送用トレイの搬送動作及び排紙動作が影響を受ける虞がないという作用効果が得られる。
【００１５】
本願請求項４に記載の発明は、請求項１〜３のいずれか１項において、前記第１のストッパー部は、前記副走査方向の長さが、前記搬送従動ローラと前記排紙従動ローラとの間隔よりも長い、ことを特徴とした被記録材搬送用トレイである。
【００１６】
記録実行領域を主走査方向に往復動するキャリッジと、被記録材搬送用トレイの交差する領域は、この搬送従動ローラと排紙従動ローラの間の領域である。したがって、第１のストッパー部の副走査方向の長さが、搬送従動ローラと排紙従動ローラとの間隔よりも長いことによって、キャリッジの第１のストッパー部に当接する部分は、記録実行領域の範囲内に構成されていれば、必ず第１のストッパー部に当接することになる。
【００１７】
これにより、本願請求項４に記載の発明に係る被記録材搬送用トレイによれば、本願請求項１〜３のいずれか１項に記載の発明による作用効果に加えて、キャリッジの第１のストッパー部に当接する部分の形状の自由度が増すという作用効果が得られる。
【００１８】
本願請求項５に記載の発明は、請求項１〜４のいずれか１項において、前記記録装置は、前記被記録材搬送手段により搬送される前記被記録材の表面の光反射率から被記録材の有無を検知する光センサから成る被記録材検知手段を備え、前記被記録材搬送用トレイは、前記被記録材検知手段により検知されない黒色の樹脂部材で形成されているとともに、前記被記録材検知手段により検知可能な光反射率の高い部材にて構成された被検知部を片面側に有している、ことを特徴とした被記録材搬送用トレイである。
【００１９】
被記録材搬送用トレイの素材が被記録材検知手段により検知されない素材であり、被記録材検知手段により検知可能な被検知部が、被記録材搬送用トレイの片面側に設けられているので、被記録材検知手段により被記録材搬送用トレイの表面と裏面の識別が可能となる。そして、被記録材搬送用トレイの面を逆にして搬送しても被記録材搬送用トレイに印刷されてしまうことを防止することが可能となる。
【００２０】
また、被記録材搬送用トレイの素材が被記録材検知手段により検知されない素材であることにより、被記録材搬送用トレイにおける被検知部の位置は、被記録材搬送用トレイの端部に限定される必要が無い。したがって、被記録材搬送用トレイにおける被検知部の位置、及び記録装置における被記録材検知手段の位置の自由度が増すという作用効果も得られるものである。
【００２１】
これにより、本願請求項５に記載の発明に係る被記録材搬送用トレイによれば、本願請求項１〜４のいずれか１項に記載の発明による作用効果に加えて、被記録材搬送用トレイの面を逆にして搬送しても被記録材搬送用トレイに印刷されてしまうことを防止することができるという作用効果が得られる。
【００２２】
本願請求項６に記載の発明は、請求項１〜５のいずれか１項において、前記被記録材搬送用トレイは、前記薄板状の被記録材を装着した際に、該薄板状の被記録材の表面が、該薄板状の被記録材装着側の平面と略同一の平面に配置される如く、前記薄板状の被記録材を装着可能な装着溝を有しており、該装着溝には、該装着溝より小さい大きさの前記薄板状の被記録材の取り外し孔を有する形状である、ことを特徴とした被記録材搬送用トレイである。
【００２３】
本願請求項６に記載の発明に係る被記録材搬送用トレイによれば、本願請求項１〜５のいずれか１項に記載の発明による作用効果に加えて、装着溝に、装着溝より小さい大きさの取り外し孔を設けることで、被記録材搬送用トレイから薄板状の被記録材を取り外す作業が容易になるという作用効果が得られる。
【００３０】
本願請求項７に記載の発明は、請求項１〜６のいずれか１項に記載の被記録材搬送用トレイを前記被記録材として搬送し、該被記録材搬送用トレイに装着された前記薄板状の被記録材の一面に印刷可能な構成を有するインクジェット式記録装置である。
本願請求項７に記載の発明に係る記録装置によれば、記録装置において、前述した本願請求項１〜６のいずれか１項に記載の発明による作用効果を得ることができる。
【００３１】
【発明の実施の形態】
以下、本願発明の一実施の形態を図面に基づいて説明する。
図１は、本願発明に係る被記録材搬送用トレイを被記録材として搬送可能な構成を有するインクジェット式記録装置の要部を示した側面図である。
【００３２】
インクジェット式記録装置５０には、被記録材に記録を実行する記録手段として、２本のキャリッジガイド軸５１に軸支され、主走査方向に移動するキャリッジ６１が設けられている。キャリッジ６１には、被記録材にインクを吐出して記録を行う記録ヘッド６２が搭載されている。記録ヘッド６２と対向して、記録ヘッド６２のヘッド面と被記録材とのギャップを規定するプラテン５２が設けられている。そして、キャリッジ６１を主走査方向に搬送し、キャリッジ６１とプラテン５２の間に被記録材を副走査方向Ｙに間欠的に搬送しながら、記録ヘッド６２が被記録材にインクを吐出することで被記録材に記録が行われる。
【００３３】
給紙トレイ５８は、例えば普通紙やフォト紙等の被記録材を給紙可能な構成となっており、被記録材を自動給紙するためのＡＳＦ（オート・シート・フィーダー）が設けられている。ＡＳＦは、給紙トレイ５８に設けられた給紙ローラ５７及び図示してない分離パッドを有する自動給紙機構である。給紙ローラ５７は、ステッピング・モータ等の回転駆動力により回転制御され、略Ｄ形の横断面形状を有している。そして、給紙ローラ５７の回転駆動力と、分離パッドの摩擦抵抗により、給紙トレイ５８に置かれた複数の被記録材を給紙する際に、複数の被記録材が一度に給紙されることなく、１枚ずつ正確に自動給紙される。
【００３４】
そして、ＡＳＦにより符号Ａの矢印で示した経路で自動給紙された被記録材は、給紙ローラ５７より副走査方向Ｙの下流側に配設された記録紙搬送手段により、記録実行領域側となる副走査方向Ｙの下流側に向けて、所定の紙送り量で間欠的に搬送される。
【００３５】
被記録材を副走査方向Ｙに間欠的に搬送する記録紙搬送手段として、搬送駆動ローラ５３と搬送従動ローラ５４が設けられている。搬送駆動ローラ５３は、ステッピング・モータ等の回転駆動力により回転制御され、搬送駆動ローラ５３の回転により、被記録材は副走査方向Ｙに搬送される。搬送従動ローラ５４は、複数の搬送従動ローラホルダ５４１に軸支されて設けられており、搬送従動ローラホルダ５４１は、それぞれ個々に搬送駆動ローラ５３に付勢され、被記録材が搬送駆動ローラ５３の回転により搬送される際に、搬送従動ローラ５４が被記録材に接しながら被記録材の搬送に従動して回転する。
【００３６】
また、給紙ローラ５７と搬送駆動ローラ５３との間には、従来技術において公知の技術による紙検出器６３が配設されている。紙検出器６３は、立位姿勢への自己復帰習性が付与され、かつ記録紙搬送方向にのみ回動し得るよう被記録材の搬送経路内に突出する状態で枢支されたレバー６３１を有し、このレバー６３１の先端が被記録材に押されることでレバー６３１が回動し、それによって被記録材が検出される構成を成す検出器である。紙検出器６３は、給紙ローラ５７より給紙された被記録材の始端位置、及び終端位置を検出し、その検出位置に合わせて記録領域が決定され、記録が実行される。
【００３７】
一方、記録された被記録材を排紙する手段として、排紙駆動ローラ５５と排紙従動ローラ５６が設けられている。排紙駆動ローラ５５は、ステッピング・モータ等の回転駆動力により回転制御され、排紙駆動ローラ５５の回転により、被記録材は副走査方向Ｙに排紙される。排紙従動ローラ５６は、周囲に複数の歯を有し、各歯の先端が被記録材の記録面に点接触するように鋭角的に尖っている歯付きローラになっている。複数の排紙従動ローラ５６は、それぞれ個々に排紙駆動ローラ５５に付勢され、被記録材が排紙駆動ローラ５５の回転により排紙される際に、被記録材に接して被記録材の排紙に従動して回転する。
【００３８】
さらに、インクジェット式記録装置５０には、上述したＡＳＦによる給紙経路（符号Ａの矢印で示した経路）とは別に、厚紙等の柔軟性の少ない被記録材や本願発明に係る被記録材搬送用トレイを給紙する符号Ｂの矢印で示した給紙路が設けられている。そして、インクジェット式記録装置５０は、この符号Ｂの矢印で示した給紙路から給紙された被記録材に対しても、上述のＡＳＦから給紙された被記録材と同様に記録が実行可能な構成となっている。
【００３９】
そして、さらに、インクジェット式記録装置５０は、被記録材搬送用トレイ１をセット位置にセットする際に、搬送従動ローラ５４を搬送駆動ローラ５３から離間させた状態（レリース状態）で、被記録材搬送用トレイ１を給紙路に挿入してセット位置にセットし、セット位置への位置合わせ完了後に、そのレリース状態を解除し、搬送従動ローラ５４が搬送駆動ローラ５３への付勢状態に復帰する搬送従動ローラレリース機構（図示せず）を備えている。
【００４０】
図２は、本願発明に係る被記録材搬送用トレイを示したものである。図２（ａ）は、表面の平面図であり、図２（ｂ）は、側面図であり、図２（ｃ）は、正面図である。
【００４１】
被記録材搬送用トレイ１は、矩形形状の薄板であり、射出成形によるプラスチック等の樹脂部材にて形成されている。当該実施の形態においては、インクジェット式記録装置に搭載されている光センサによる被記録材搬送用トレイ検出用センサ（図示せず）には、検出されない黒色の樹脂部材にて形成されている。被検知部１１は、光反射率の高い部材にて構成されており、上述の被記録材搬送用トレイ検出用センサにて検出可能になっている。そして、この被検知部１１を被記録材搬送用トレイ検出用センサにて検出することで、被記録材搬送用トレイに装着された薄板状の被記録材の位置を認識することが可能な構成となっている。
【００４２】
被記録材搬送用トレイ１の表面には、円形溝１２が形成されており、円形溝１２の略中央部分には凸部１３が形成されている。そして、この円形溝１２にＣＤ−Ｒ等の薄板状の被記録材を装着する。また、円形溝１２には、図示の如く取り外し孔１４が形成されており、円形溝１２に装着した被記録材を取り外す際には、被記録材搬送用トレイ１の裏面から、取り外し孔１４を介してＣＤ−Ｒを押し上げるようにすることで、容易に取り外すことができる。
【００４３】
また、被記録材搬送用トレイ１表面には、第１のストッパー部１５と第２のストパー部１６が、それぞれ図示の如く形成されている。尚、第１のストッパー部１５及び第２のストッパー部１６については、後述で説明する。
【００４４】
さらに、被記録材搬送用トレイ１の表面には、ラベル２が貼り付けられている。ラベル２には、外形図２１とガイド線２２と矢印２３とが表示されている。外形図２１は、略実寸大の搬送従動ローラ５４及び搬送従動ローラホルダ５４１の外形を模式的に表示したものであり、被記録材搬送用トレイ１を給紙路に挿入してセット位置にセットする際の目印となる。被記録材搬送用トレイ１を給紙路に挿入し、この外形図２１と、搬送従動ローラ５４及び搬送従動ローラホルダ５４１とを重ね合わせることによって、セット位置に正確かつ容易にセットできる。また、ガイド線２２に搬送従動ローラ５４のローラ面を合わせるようにすることで、外形図２１と、搬送従動ローラ５４及び搬送従動ローラホルダ５４１とを重ね合わせる作業が、より容易になる。そして、矢印２３は、被記録材搬送用トレイ１の給紙路への挿入方向を示すものであり、このように給紙路への挿入方向が示してあるので、記録紙搬送用トレイ１の向きを間違えて給紙路に挿入してしまう虞が少なくなる。
【００４５】
尚、外形図２１、ガイド線２２及び矢印２３は、当該実施の形態のようにラベル２を貼り付けることによって表示するのではなく、被記録材搬送用トレイ１に直接印刷しても良い。また、ガイド線２２は、なくても良く、外形図２１は、搬送従動ローラ５４及び搬送従動ローラホルダ５４１に限定されるものではなく、インクジェット式記録装置５０の構成要素ならどんなものであっても良い。さらに、外形図２１は、その外形図２１が示すインクジェット式記録装置５０の構成要素と略同色に着色されていれば、より視覚的に認識しやすくなる。
【００４６】
図３は、本願発明に係る被記録材搬送用トレイ１を示したものである。図３（ａ）は、裏面の平面図であり、図３（ｂ）は、Ｃ−Ｃ線断面図であり、図３（ｃ）は、Ｄ−Ｄ線断面図である。
【００４７】
被記録材搬送用トレイ１の裏面には、図示の如く、縦方向及び横方向にそれぞれ複数のリブが形成されている。このリブによって、被記録材搬送用トレイ１の反りやたわみを少なくすることができ、十分な強度と精度を得ることができるものである。
【００４８】
また、被記録材搬送用トレイ１の裏面には、被記録材始端検出手段保護部１７が形成されている。被記録材始端検出手段保護部１７は、図示の如く、複数のリブによって斜面を形成している。この斜面は、被記録材搬送用トレイ１を表面と裏面を逆にして挿入した後、被記録材搬送用トレイ１を引き抜く際に、紙検出装置６３のレバー６３１が摺接する領域の段差部分に形成されている。当該実施の形態においては、被記録材搬送用トレイ１の端部に形成されているリブの段差部分に形成されている。
【００４９】
そして、この斜面によって、被記録材搬送用トレイ１を表面と裏面を逆にして挿入した後、被記録材搬送用トレイ１を引き抜く際に、被記録材搬送用トレイ１の端部に形成されているリブの段差に、紙検出装置６３のレバー６３１が引っかかって、レバー６３１に回動可能方向と逆方向に回動させる力が作用するの防止し、それによって、レバー６３１が破損する虞を少なくすることができる。また、被記録材始端検出手段保護部１７は、被記録材搬送用トレイ１の略中心点を対称の中心として、点対称となる位置に形成されているので、被記録材搬送用トレイ１の挿入向きに関係なく、レバー６３１が段差部分に引っかかるのを防止することができる。
【００５０】
図４は、本願発明に係る被記録材搬送用トレイ１を、インクジェット式記録装置５０の後方に設けられている給紙路から挿入した状態を示した斜視図である。
被記録材搬送用トレイ１には、薄板状の被記録材としてのＣＤ−Ｒ（符号Ｍ）が装着された状態で、符号Ｂで示した矢印の方向に給紙路に挿入し、所定のセット位置にセットされる。
【００５１】
図５は、本願発明に係る被記録材搬送用トレイ１をインクジェット式記録装置５０の後方に設けられている給紙路から挿入した状態の要部を示した側面図である。
【００５２】
被記録材搬送用トレイ１は、符号Ｂで示した矢印の方向の給紙路に挿入され、その先端部分が搬送路に突出している紙検出装置６３のレバー６３１を回動させる。つづいて、被記録材搬送用トレイ１は、搬送従動ローラ５４に作用している付勢力によって搬送駆動ローラ５３に押しつけられた状態で、搬送駆動ローラ５３が副走査方向Ｙに回転することによって、普通紙等の記録紙と同様に副走査方向Ｙに間欠的に搬送される。そして、被記録材搬送用トレイ１に装着されたＣＤ−Ｒは、副走査方向Ｙに間欠的に搬送されながら、主走査方向に往復動するキャリッジ６１に搭載された記録ヘッド６２からインクを吐出されて、その表面に印刷が実行される。
【００５３】
また、ＣＤ−Ｒへの印刷を実行する際には、２本のキャリッジガイド軸５１を上下動させて、記録ヘッド６２のヘッド面と被記録材の記録面との間隔であるＰＧを調節する機構（図示せず）によって、ＣＤ−Ｒの表面とヘッド面との間隔が、適正なＰＧとなるように、被記録材搬送用トレイ１の厚みの分だけ、キャリッジ５１を上昇させる。さらに、排紙従動ローラ５６の尖った歯によって、ＣＤ−Ｒの表面に傷が付くのを防止するために、排紙従動ローラ５６を上昇させる排紙従動ローラレリース機構（図示せず）によって、排紙従動ローラ５６が被記録材に接しない状態にする。
【００５４】
図６は、本願発明に係る被記録材搬送用トレイ１をインクジェット式記録装置５０の給紙路に挿入し、所定のセット位置に合わせる前の状態を示した平面図である。また、図７は、本願発明に係る被記録材搬送用トレイ１をインクジェット式記録装置５０の給紙路に挿入し、所定のセット位置に合わせた後の状態を示した平面図である。
【００５５】
まず、図６に示したように、矢印２３に示されている方向に、被記録材搬送用トレイ１を給紙路に挿入する。そして、外形図２１と、搬送従動ローラ５４及び搬送従動ローラホルダ５４１との位置を、それぞれ確認する。つづいて、図７に示したように、外形図２１と、搬送従動ローラ５４及び搬送従動ローラホルダ５４１とを重ね合わせる。そして、ガイド線２２と、搬送従動ローラ５４のローラ面とが一致するようにすることで、被記録材搬送用トレイ１を正確なセット位置に容易にセットすることができる。
【００５６】
図８は、本願発明に係る被記録材搬送用トレイ１の第１のストッパー部１５に、記録ヘッド６２が当接した状態を示した要部の側面図である。
【００５７】
前述したように、ＣＤ−Ｒへの印刷を実行する際には、２本のキャリッジガイド軸５１を上下動させる機構（図示せず）によって、ＣＤ−Ｒの表面とヘッド面との間隔が、適正なＰＧとなるように、被記録材搬送用トレイ１の厚みの分だけ、キャリッジ５１を上昇させる。しかし、所定のＰＧ未満であるにもかかわらず、ＣＤ−Ｒへの印刷を実行してしまった場合、それによって、記録品質が低下するだけでなく記録ヘッド６２のヘッド面にインクが付着して汚れてしまったり、場合によっては、ヘッド面と被記録材搬送用トレイ１の表面とが接触して、被記録材搬送用トレイ１を汚してしまったり、ヘッド面を傷つけてしまうといった虞がある。
【００５８】
このキャリッジ５１を上昇させずに、印刷を実行してしまうことを防止するために、被記録材搬送用トレイ１には第１のストッパー部１５が形成されている。そして、ＣＤ−Ｒの表面とヘッド面との間隔が所定のＰＧ未満の時には、図示の如く、この第１のストッパー部１５に、記録ヘッド６２の側面が当接して、被記録材搬送用トレイ１の上を記録ヘッド６２が走査するのを防止する。尚、記録ヘッド６２に第１のストッパー部が直接当接すると記録ヘッド６２を傷めてしまう虞があるので、記録ヘッド６２を保護する壁をキャリッジ６１に形成して、その壁が第１のストッパー部に当接するようにするのが好ましい態様であると言える。
【００５９】
さらに、排紙従動ローラ５６の尖った歯によって、ＣＤ−Ｒの表面に傷が付くのを防止するために、排紙従動ローラ５６を上昇させる排紙従動ローラレリース機構を、２本のキャリッジガイド軸５１を上下動させる機構とが連携して動作するように構成することによって、排紙従動ローラ５６が接してＣＤ−Ｒの印刷面に傷がつくことを、第１のストッパー部１５によって防止することも可能である。
【００６０】
また、第２のストッパー部１６は、被記録材搬送用トレイ１を既定の向きと異なる向きで挿入した際、つまり誤挿入してしまった場合には、ＰＧに関係なく記録ヘッド６２が被記録材搬送用トレイ１の上を走査することを防止するものである。第１のストッパー部と同様に、第２のストッパー部１６に、記録ヘッド６２の側面が当接して、被記録材搬送用トレイ１の上を記録ヘッド６２が走査するのを防止する。したがって、第２のストッパー部１６は、第１のストッパー部１５よりも高い高さを有する如く形成されている。
【００６１】
図９は、本願発明に係る被記録材搬送用トレイ１の被記録材始端検出手段保護部１７に、レバー６３１が当接した状態を示した要部の側面図である。
【００６２】
前述した通り、被記録材始端検出手段保護部１７は、被記録材搬送用トレイ１の端部に形成されているリブの段差部分に斜面を形成している。そして、被記録材搬送用トレイ１を表面と裏面を逆にして挿入した後、符号Ｅの矢印で示した方向に被記録材搬送用トレイ１を引き抜く際に、図示の如く、この斜面によって被記録材搬送用トレイ１の端部に形成されているリブの段差に、紙検出装置６３のレバー６３１が引っかかるのを防止することができる。そして、それによって、レバー６３１に回動可能方向と逆方向に回動させる力が作用するの防止し、レバー６３１が破損する虞を少なくすることができる。
【００６３】
他の実施の形態としては、被記録材搬送用トレイ１の装着溝１２を、例えばＩＣカードが装着可能な形状とすることによって、ＩＣカードの表面に印刷することも可能である。また、上述したＣＤ−ＲやＩＣカードに限らず、装着溝１２の形状を、印刷しようとする薄板状の被記録材が装着可能な如く変形することによって、様々な被記録材への印刷が可能になるものである。
【００６４】
尚、本願発明は上記実施例に限定されることなく、特許請求の範囲に記載した発明の範囲内で、種々の変形が可能であり、それらも本願発明の範囲内に含まれるものであることは言うまでもない。
【００６５】
【発明の効果】
本願発明によれば、被記録材搬送用トレイに装着した薄板状の被記録材に印刷を実行する際に、適正なＰＧに設定しないまま記録を実行してしまうことを防止可能な被記録材搬送用トレイを提供することが可能になる。
【図面の簡単な説明】
【図１】本願発明に係る被記録材搬送用トレイを被記録材として搬送可能な構成を有するインクジェット式記録装置の要部を示した側面図である。
【図２】本願発明に係る被記録材搬送用トレイを示したものであり、図２（ａ）は、表面視の平面図であり、図２（ｂ）は、側面図であり、図３（ｃ）は、正面図である。
【図３】本願発明に係る被記録材搬送用トレイを示したものである。図２（ａ）は、裏面の平面図であり、図２（ｂ）は、Ｃ−Ｃ線断面図であり、図３（ｃ）は、Ｄ−Ｄ線断面図である。
【図４】本願発明に係る被記録材搬送用トレイを、インクジェット式記録装置の後方に設けられている給紙路から挿入した状態を示した斜視図である。
【図５】本願発明に係る被記録材搬送用トレイをインクジェット式記録装置の後方に設けられている給紙路から挿入した状態の要部を示した側面図である。
【図６】本願発明に係る被記録材搬送用トレイをインクジェット式記録装置の給紙路に挿入し、所定のセット位置に合わせる前の状態を示した平面図である。
【図７】本願発明に係る被記録材搬送用トレイをインクジェット式記録装置の給紙路に挿入し、所定のセット位置に合わせた後の状態を示した平面図である。
【図８】本願発明に係る被記録材搬送用トレイの第１のストッパー部に、記録ヘッドが当接した状態を示した要部の側面図である。
【図９】本願発明に係る被記録材搬送用トレイの被記録材始端検出手段保護部に、レバーが当接した状態を示した要部の側面図である。
【符号の説明】
１    被記録材搬送用トレイ
２    ラベル
１１  被検知部
１２  装着溝
１３  凸部
１４  取り外し孔
１５  第１のストッパー部
１６  第２のストッパー部
１７  被記録材始端検出手段保護部
２１  外形図
２２  ガイド線
２３  矢印
５０  インクジェット式記録装置
５１  キャリッジガイド軸
５２  プラテン
５３  搬送駆動ローラ
５４  搬送従動ローラ
５５  排紙駆動ローラ
５６  排紙従動ローラ
５７  給紙ローラ
５８  給紙トレイ
６１  キャリッジ
６２  記録ヘッド
６３  紙検出装置
５４１  搬送従動ローラホルダ
６３１  レバー
【図１】
0003633509.tif 000002
【図２】
0003633509.tif 000003
【図３】
0003633509.tif 000004
【図４】
0003633509.tif 000005
【図５】
0003633509.tif 000006
【図６】
0003633509.tif 000007
【図７】
0003633509.tif 000008
【図８】
0003633509.tif 000009
【図９】
0003633509.tif 000010